(57)【要約】      （修正有）【課題】所定の呼気力で一定時間空気を吹き込むことが可能な吹き戻しを提供する。【解決手段】吹き戻し１は、健康促進や治療、美容などの目的に利用可能なものであり、筒状で変形自在な袋状部で空気が吹き込まれて膨らむ伸縮体２と、吹き戻し１を把持する箇所である専管体３と、使用者が口にくわえて空気を吹き込む口吹体４とを備えている。伸縮体２は、空気の吹き込みにより渦巻状に巻かれる渦巻状部２１と、渦巻状部２１に弾性力を作用させる線状体と、伸縮体２の先端である自由端部と、伸縮体２と専管体３との接続箇所である接続端部と、伸縮体２の中に吹き込まれた空気を外部に逃がすための空気孔とを備えている。【選択図】図１
2018201883.tif 000002
【特許請求の範囲】
【請求項１】
筒状の専管体と、前記専管体の一端側に設けられ筒状で変形自在な伸縮体と、筒状で前記専管体の他端側に接続され使用者がくわえて空気を吹き込む口吹体と、を備え、前記口吹体を使用者がくわえて空気を吹き込むと前記伸縮体が伸び、空気を吹き込まないと前記伸縮体が渦巻状に巻かれる吹き戻しであって、
前記伸縮体、前記専管体、及び前記口吹体の内部の空気を外部に逃す空気孔が前記伸縮体、前記専管体、または前記口吹体に設けられている、
ことを特徴とする吹き戻し。
【請求項２】
前記空気孔は、前記伸縮体の前記専管体側の端部に設けられている、
ことを特徴とする請求項１に記載の吹き戻し。
【請求項３】
前記空気孔の大きさと数は、使用目的に応じた所定量の空気が外部に逃げるように設定されている、
ことを特徴とする請求項１または２のいずれか１項に記載の吹き戻し。
【請求項４】
前記空気孔の数が２つに設定され、
前記２つの空気孔の内の１つが、前記伸縮体の自由端部に設けられている、
ことを特徴とする請求項３に記載の吹き戻し。
【発明の詳細な説明】
【技術分野】
【０００１】
この発明は、吹き戻しに関し、特に、健康促進や治療、美容などの目的に利用可能な吹き戻しに関する。
【背景技術】
【０００２】
吹き戻しは、古くから吹き戻し玩具として知られている。この吹き戻しは、筒状の伸縮体（袋状部）の長手方向に沿って針金のように弾性を有する線状体が配設され、伸縮体の一端部に筒状の専管体の一端が接続され、この専管体の他端に、使用者が口にくわえて空気を吹き込む口吹体を備えている。この口吹部から空気を吹き込むと、伸縮体が伸び、空気を吹き込まない状態では、線状体の弾性力によって伸縮体が渦巻状に巻かれるものである。
【０００３】
このような吹き戻しは、従来、主に子供の玩具として使用されていたが、健康促進や治療、美容などの目的で呼吸訓練を行うために利用可能な吹き戻しが知られている（例えば、特許文献１参照。）。この吹き戻しは、抗菌性の柔軟材料から形成されたマウスピースを吹き込み部に着脱自在に備えることで、長期間の繰り返し使用によっても衛生状態を良好に保ち得るものであり、これにより健康促進や治療、美容などの目的で呼吸訓練を行うために利用可能とするものである。
【０００４】
このような呼吸訓練は、例えば、医療分野においては、小児ぜんそくの予防や、肺がん患者、外科手術を受ける患者で術前術後の麻酔により呼吸機能が低下した患者、ＰＭ２．５等の環境汚染による慢性閉塞性肺疾患（ＣＯＰＤ）等の呼吸機能障害患者等に対して行われるものである。また、介護分野においては、高齢者や障害者による食事中の誤嚥防止または摂食嚥下リハビリテーションのために行われる。美容分野においては、頬の筋肉を鍛えることによりほうれい線の発生を防止するために行われる。音楽分野においては、声楽家による呼吸法、発声法の訓練のために行われる。スポーツ分野においては、スポーツ吹き矢等、息を吹く力を上昇するために行われるものである。
【先行技術文献】
【特許文献】
【０００５】
【特許文献１】実用新案登録第３１３７９４４号公報
【発明の概要】
【発明が解決しようとする課題】
【０００６】
ところで、このような吹き戻しは、最初に伸縮体を伸ばすのに要するために、所定の吹く力（必要呼気力）が必要になるが、伸縮体に十分空気が吹き込まれて伸縮体が伸びた状態になると、伸縮体、専管体、及び口吹体に空気が充満してしまうので、この状態を維持するために要する必要呼気力は、あまり必要なくなってしまう。すなわち、最初に勢いよく空気を吹き込むと、あとは弱い力で維持できてしまうものであった。しかしながら、健康促進や治療等の目的に利用される吹き戻しは、所定の呼気力で一定時間空気を吹き込むことが重要であり、従来の吹き戻しでは、そのような目的を達することができないものであった。
【０００７】
そこでこの発明は、所定の呼気力で一定時間空気を吹き込むことが可能な吹き戻しを提供することを目的とする。
【課題を解決するための手段】
【０００８】
上記課題を解決するために、請求項１の発明は、筒状の専管体と、前記専管体の一端側に設けられ筒状で変形自在な伸縮体と、筒状で前記専管体の他端側に接続され使用者がくわえて空気を吹き込む口吹体と、を備え、前記口吹体を使用者がくわえて空気を吹き込むと前記伸縮体が伸び、空気を吹き込まないと前記伸縮体が渦巻状に巻かれる吹き戻しであって、前記伸縮体、前記専管体、及び前記口吹体の内部の空気を外部に逃す空気孔が前記伸縮体、前記専管体、または前記口吹体に設けられている、ことを特徴とする。
【０００９】
請求項２の発明は、請求項１に記載の吹き戻しにおいて、前記空気孔は、前記伸縮体の前記専管体側の端部に設けられている、ことを特徴とする。
【００１０】
請求項３の発明は、請求項１または２のいずれか１項に記載の吹き戻しにおいて、前記空気孔の大きさと数は、使用目的に応じた所定量の空気が外部に逃げるように設定されている、ことを特徴とする。
【００１１】
請求項４の発明は、請求項３に記載の吹き戻しにおいて、前記空気孔の数が２つに設定され、前記２つの空気孔の内の１つが、前記伸縮体の自由端部に設けられている、ことを特徴とする。
【発明の効果】
【００１２】
請求項１の発明によれば、伸縮体、専管体、または口吹体には、伸縮体内の空気を外部に逃す空気孔が設けられている。そのため、この吹き戻しは、最初に伸縮体を伸ばすのに要する必要呼気力は所定の力が必要になるが、空気孔から伸縮体、専管体、及び口吹体の内部の空気が外部に逃げるので、伸縮体が伸びた状態を維持するためにも所定の必要呼気力が必要になる。これにより、所定の呼気力で一定時間空気を吹き込むことが可能になるので、健康促進や治療等の目的に適した吹き戻しを提供することができる。
【００１３】
請求項２の発明によれば、吹き戻しへの空気の吹き込みを停止すると伸縮体が渦巻状に巻かれるが、伸縮体の中に空気が残留していると、伸縮体が渦巻状に巻かれないことがあり、空気孔が伸縮体の自由端側にあると、空気孔が塞がって空気が逃げなくなる。これを修正するために手で伸縮体を引っ張ると、伸縮体が破損するおそれがある。そのため、空気孔が伸縮体の専管体側の端部に設けられていることにより、吹き戻しへの空気の吹き込みを停止したときに伸縮体の中の空気が空気孔から抜けるので、伸縮体が渦巻状に巻かれる。これにより、吹き戻しの破損を防止し、長期間使用することができる。
【００１４】
請求項３の発明によれば、空気孔の大きさと数は、使用目的に応じた所定量の空気が外部に逃げるように設定されている。そのため、呼吸器の治療、摂食嚥下リハビリテーション、呼吸法や発声法の訓練等、使用目的に適した吹き戻しを提供することが可能になる。
【００１５】
請求項４の発明によれば、使用目的に応じた所定量の空気を外部に逃がすために２つの空気孔を設ける場合、伸縮体が最も伸びた状態に達してから空気が逃げるように設定すると、伸縮体、専管体、及び口吹体の内部の空気をよりスムーズに外部に逃がすことができる。そのためには、２つの空気孔の内の１つを伸縮体の自由端部に設けることにより、伸縮体が最も伸びた状態になって初めて当該空気孔が開放されるので、当該空気孔から空気を逃がすことができる。これにより、使用目的に適した吹き戻しを提供することが可能になる。
【図面の簡単な説明】
【００１６】
【図１】この発明の実施の形態１に係る吹き戻し１を示す左側面図である。
【図２】図１の吹き戻し１を示す平面図である。
【図３】図１の吹き戻し１の伸縮体２が伸びた状態を示す平面図である。
【図４】この発明の実施の形態２に係る吹き戻し１Ａの伸縮体２Ａが伸びた状態を示す平面図である。
【図５】この発明の実施の形態３に係る吹き戻し１Ｂの伸縮体２Ｂが伸びた状態を示す平面図である。
【図６】この発明の実施の形態４に係る吹き戻し１Ｃの伸縮体２Ｃが伸びた状態を示す平面図である。
【発明を実施するための形態】
【００１７】
以下、この発明を図示の実施の形態に基づいて説明する。
【００１８】
（実施の形態１）
図１ないし図３は、この実施の形態１に係る吹き戻し１を示し、図１は、この吹き戻し１を示す左側面図であり、図２は、図１の吹き戻し１を示す平面図であり、図３は、図１の吹き戻し１の伸縮体２が伸びた状態を示す平面図である。この吹き戻し１は、特に、健康促進や治療、美容などの目的に利用可能な吹き戻しであり、主として、伸縮体２と、専管体３と、口吹体４とを備えている。この吹き戻し１には、健康促進や治療等の使用目的や使用者状況等に応じて、伸縮体２を伸ばすのに要する吹く力（必要呼気力）が設定されている。
【００１９】
伸縮体２は、筒状で変形自在な袋状部であり、空気が吹き込まれると膨らんで断面が略円形になることで伸びた状態になり、空気を吹き込まない状態では渦巻状に巻かれるように構成されている。この伸縮体２は、主として渦巻状部２１と、線状体２２と、自由端部２３と、接続端部（専管体側端部）２４と、空気孔２５とを備えている。
【００２０】
渦巻状部２１は、空気の吹き込みにより渦巻状・コイル状に巻かれる箇所であり、所定の厚み、強度、密度（単位面積当たりの重量）、耐久性などの材質（特性）を有する紙材を素材として構成され、その外径が専管体３の一端の内径よりもやや大きくなるように設定されている。この渦巻状部２１の長さは、健康促進や治療、美容等の目的（吹き戻し１の使用目的）や、使用者の口腔機能状態や体調等の使用者状況などに応じて設定されている。すなわち、渦巻状部２１を伸ばすのに要する空気量が、目的や使用者状況などに応じて予め設定された適正空気量になるように、渦巻状部２１の長さが設定されている。
【００２１】
線状体２２は、弾性を有し渦巻状部２１の長手方向に沿って真っ直ぐに配設された線材、例えば、ステンレス製の針金で構成され、渦巻状部２１の紙材に挟まれている。渦巻状部２１に外力を加えない状態（伸縮体２に空気を吹き込まない状態）では、図１に示すように、線状体２２の弾性力により渦巻状・コイル状に巻かれた状態であり、渦巻状部２１に外力を加える（伸縮体２に空気が吹き込まれる）と、図３に示すように、真っ直ぐに伸び、この外力を解除すると、渦巻状部２１が渦巻状に戻ろうとする弾性力が線状体２２により作用するものである。線状体２２の弾性力は、伸縮体２を伸ばすのに要する必要呼気力が吹き戻し１の使用目的や使用者状況などに応じて設定された適正値になるように、換言すると、口吹体４から空気を吹き込む必要呼気力が適正値（所定値）以上でないと、伸縮体２が伸びないように、弾性力が所定値に設定されている。
【００２２】
自由端部２３は、図３に示すように、伸縮体２が延びた状態のときの先端である。この自由端部２３は、袋状に形成された伸縮体２が閉塞されている箇所である。接続端部２４は、伸縮体２の自由端部２３と反対側の端部であり、専管体３との接続箇所である。空気孔２５は、伸縮体２、専管体３、及び口吹体４の中に吹き込まれた空気を外部に逃がすための孔であり、図３に示すように、伸縮体２の接続端部２４側であって、渦巻状部２１が渦巻状に巻かれても平坦にならない位置に、例えば１つ、伸縮体２を貫通するように設けられている。
【００２３】
この空気孔２５が設けられている理由について説明する。従来の吹き戻しは、最初に勢いよく空気を吹き込むと、伸縮体に空気が充満してしまうので、その後の必要呼気力は、あまり必要ないものであった。しかしながら、健康促進や治療等の目的に利用される吹き戻しは、所定の呼気力で一定時間空気を吹き込むことが重要であり、具体的には、呼吸するときの吸い込む時に要する時間の２倍の時間を費やして空気を吐き出し、吹き戻しに空気を吹き込むのが効果的とされている。そのため、伸縮体２に吹き込まれた空気を空気孔２５から逃がすことにより、所定の呼気力で一定時間空気を吹き込むことを可能にしている。この空気孔２５は、呼吸器の治療、摂食嚥下リハビリテーション、呼吸法や発声法の訓練等、使用目的や使用者状況に応じて、所定量の空気が外部に逃げるように設定されている。
【００２４】
また、吹き戻し１への空気の吹き込みを停止すると、伸縮体２が渦巻状に巻かれるが、伸縮体２の中に空気が残留していると、伸縮体２が渦巻状に巻かれないことがあり、空気孔２５が伸縮体２の自由端部２３側にあると、空気孔２５が塞がって空気が逃げなくなることがある。そこで、空気孔２５が接続端部２４側であって、渦巻状部２１が渦巻状に巻かれても平坦にならない位置に設けられていることにより、吹き戻し１への空気の吹き込みを停止したときに伸縮体２の中の空気が空気孔２５から抜けるので、伸縮体２が渦巻状に巻かれる。これにより、吹き戻し１の破損を防止し、長期間使用することが可能になる。
【００２５】
専管体３は、使用者が吹き戻し１を把持する箇所であり、伸縮体２の接続端部２４に接続され、所定の材質を有する厚い紙材で略円筒状に形成された円筒体である。この専管体３は、伸縮体２側の端部である一端部（専管体一端側）３１と、口吹体４側の端部である他端部（専管体他端側）３２とを備え、一端部３１が伸縮体２の接続端部２４に挿入されて、ビニルテープ等で接続されている。この専管体３の内径と長さは、使用者が容易に持つことができ、かつ、口吹体４から伸縮体２に空気を吹き込みやすいように設定されている。
【００２６】
口吹体４は、使用者が口にくわえて空気を吹き込む箇所であり、略円筒状で専管体３の他端部３２に接続されている。この口吹体４は、例えば、プラスチック樹脂等により形成されている。なお、口吹体４には、例えば、使用者のくわえ心地を良好にして長期間繰り返し使用しても衛生状態を良好に維持するためのマウスピースが装着自在となっている。
【００２７】
図１ないし図３に示す構成の吹き戻し１では、使用者が口吹体４から空気を吹き込むと、空気が伸縮体２に流入して伸縮体２が伸び、空気を吹き込まない状態では、図１に示すように、線状体２２の弾性力によって伸縮体２が渦巻状に巻き戻る。この際、口吹体４から空気を吹き込む必要呼気力が、健康促進や治療等の使用目的や使用者状況などに応じて設定された適正値（所定値）以上でないと、伸縮体２が伸び続けていかず、また、健康促進や治療等の使用目的や使用者状況などに応じて予め設定された空気量だけ吹き込まないと、伸縮体２が最大限まで伸びないように構成されている。さらに、伸縮体２が伸びた状態になっても、空気孔２５から空気が逃げるので、伸縮体２を最大限まで伸ばした状態を維持するために、健康促進や治療等の使用目的や使用者状況などに応じて予め設定された呼気力で一定時間空気を吹き込むことが可能なように構成されている。従って、このような吹き戻し１を使用して伸縮体２の伸縮（吹き戻し）を繰り返すことで、目的や使用者状況などに応じた適正な必要呼気力での運動、訓練が行えるものである。
【００２８】
以上のように、この吹き戻し１によれば、接続端部２４側であって、渦巻状部２１が渦巻状に巻かれても平坦にならない位置に空気孔２５が設けられている。そのため、この吹き戻し１は、使用者が口吹体４から空気を吹き込むと、空気が伸縮体２に流入して伸縮体２が伸びた状態になり、空気孔２５から空気が逃げるので、伸縮体２を最大限まで伸ばした状態を維持するために、健康促進や治療等の使用目的や使用者状況などに応じて予め設定された呼気力で一定時間空気を吹き込む必要がある。これにより、所定の呼気力で一定時間空気を吹き込むことが可能になるので、健康促進や治療等の目的に適した吹き戻し１を提供することができる。また、この空気孔２５が呼吸器の治療、摂食嚥下リハビリテーション、呼吸法や発声法の訓練等、使用目的や使用者状況に応じて、所定量の空気が外部に逃げるように設定されているため、使用目的に適した吹き戻しを提供することが可能になる。
【００２９】
また、この吹き戻し１によれば、空気孔２５が設けられていることにより、吹き戻し１への空気の吹き込みを停止したときに伸縮体２の中の空気が空気孔２５から抜けるので、伸縮体２が渦巻状に巻かれる。これにより、吹き戻し１の破損を防止し、長期間使用することが可能になる。
【００３０】
（実施の形態２）
図４は、この実施の形態２に係る吹き戻し１Ａを示し、この吹き戻し１Ａの伸縮体２Ａが伸びた状態を示す平面図である。この吹き戻し１Ａは、実施の形態１に係る吹き戻し１と同様に、健康促進や治療、美容などの目的に利用可能な吹き戻しであり、実施の形態１に係る吹き戻し１の伸縮体２及び専管体３に代えて、伸縮体２Ａ及び専管体３Ａを備えている。伸縮体２Ａは、図３に示す空気孔２５を備えていない点において、実施の形態１に係る伸縮体２と異なる。専管体３Ａは、図３に示す専管体３に加えて、専管体３Ａの側面に空気孔３３を備えている。
【００３１】
この吹き戻し１Ａには、健康促進や治療等の使用目的や使用者状況等に応じて、伸縮体２Ａを伸ばすのに要する吹く力（必要呼気力）が設定されている。使用者が口吹体４から空気を吹き込むと、実施の形態１に係る吹き戻し１と同様に、空気が伸縮体２Ａに流入して伸縮体２Ａが伸び、空気を吹き込まない状態では、図１に示す伸縮体２と同様に、線状体２２の弾性力によって伸縮体２Ａが渦巻状に巻き戻る。また、伸縮体２Ａが伸びた状態になっても、空気孔３３から空気が逃げるので、伸縮体２Ａを最大限まで伸ばした状態を維持するために、健康促進や治療等の使用目的や使用者状況などに応じて予め設定された呼気力で一定時間空気を吹き込むことが可能なように構成されている。
【００３２】
以上のように、この吹き戻し１Ａによれば、専管体３Ａの側面に空気孔３３を備えている。そのため、この吹き戻し１Ａは、空気が伸縮体２Ａに流入して伸縮体２が伸びた状態になっても、空気孔３３から空気が逃げるので、伸縮体２Ａを最大限まで伸ばした状態を維持するために呼気力で一定時間空気を吹き込む必要がある。これにより、空気孔３３を専管体３Ａに設けても、実施の形態１と同様の効果を得ることができる。
【００３３】
（実施の形態３）
図５は、この実施の形態３に係る吹き戻し１Ｂを示し、この吹き戻し１Ｂの伸縮体２Ｂが伸びた状態を示す平面図である。この吹き戻し１Ｂは、実施の形態１に係る吹き戻し１と同様に、健康促進や治療、美容などの目的に利用可能な吹き戻しであり、実施の形態１に係る吹き戻し１の伸縮体２及び口吹体４に代えて、伸縮体２Ｂ及び口吹体４Ｂを備えている。伸縮体２Ｂは、図３に示す空気孔２５を備えていない点において、実施の形態１に係る伸縮体２と異なる。口吹体４Ｂは、図３に示す口吹体４に加えて、口吹体４Ｂの側面に空気孔４１を備えている。
【００３４】
この吹き戻し１Ｂには、健康促進や治療等の使用目的や使用者状況等に応じて、伸縮体２を伸ばすのに要する吹く力（必要呼気力）が設定されている。使用者が口吹体４Ｂから空気を吹き込むと、実施の形態１に係る吹き戻し１と同様に、空気が伸縮体２Ｂに流入して伸縮体２Ｂが伸び、空気を吹き込まない状態では、図１に示す伸縮体２と同様に、線状体２２の弾性力によって伸縮体２Ｂが渦巻状に巻き戻る。また、伸縮体２Ｂが伸びた状態になっても、空気孔４１から空気が逃げるので、伸縮体２Ｂを最大限まで伸ばした状態を維持するために、健康促進や治療等の使用目的や使用者状況などに応じて予め設定された呼気力で一定時間空気を吹き込むことが可能なように構成されている。
【００３５】
以上のように、この吹き戻し１Ｂによれば、口吹体４Ｂの側面に空気孔４１を備えている。そのため、この吹き戻し１Ｂは、空気が伸縮体２Ｂに流入して伸縮体２Ｂが伸びた状態になっても、空気孔４１から空気が逃げるので、伸縮体２Ｂを最大限まで伸ばした状態を維持するために呼気力で一定時間空気を吹き込む必要がある。これにより、空気孔４１を口吹体４Ｂに設けても、実施の形態１と同様の効果を得ることができる。
【００３６】
（実施の形態４）
図６は、この実施の形態４に係る吹き戻し１Ｃを示し、この吹き戻し１Ｃの伸縮体２Ｃが伸びた状態を示す平面図である。この吹き戻し１Ｃは、実施の形態１に係る吹き戻し１と同様に、健康促進や治療、美容などの目的に利用可能な吹き戻しであり、実施の形態１に係る吹き戻し１の伸縮体２に加えて、伸縮体２Ｃの自由端部２３側に空気孔２６を備えている。
【００３７】
この吹き戻し１Ｃには、健康促進や治療等の使用目的や使用者状況等に応じて、伸縮体２Ｃを伸ばすのに要する吹く力（必要呼気力）が設定されている。使用者が口吹体４から空気を吹き込むと、実施の形態１に係る吹き戻し１と同様に、空気が伸縮体２Ｃに流入して伸縮体２Ｃが伸び、空気を吹き込まない状態では、図１に示す伸縮体２と同様に、線状体２２の弾性力によって伸縮体２Ｃが渦巻状に巻き戻る。また、伸縮体２Ｃが完全に伸びていない状態では、空気孔２５から空気が逃げるので、健康促進や治療等の使用目的や使用者状況などに応じて予め設定された呼気力で一定時間空気を吹き込むことが可能であり、さらに、伸縮体２Ｃが伸びた状態になると、空気孔２６からも空気が逃げるので、予め設定された呼気力で一定時間空気を吹き込むことが可能であり、伸縮体２Ｃ、専管体３、及び口吹体４の内部の空気をよりスムーズに外部に逃がすことができる。
【００３８】
以上のように、この吹き戻し１Ｃによれば、空気孔２５に加えて、伸縮体２Ｃの自由端部２３側に空気孔２６を備えている。そのため、この吹き戻し１Ｃは、空気が伸縮体２Ｃに流入して伸縮体２Ｃが伸びた状態になると、空気孔２５に加えて空気孔２６からも空気が逃げるので、伸縮体２Ｃ、専管体３、及び口吹体４の内部の空気をよりスムーズに外部に逃がすことができる。これにより、使用目的に適した吹き戻しを提供することが可能になる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、１つの空気孔２５、空気孔３３、空気孔４１を設け、または２つの空気孔２５及び空気孔２６を設けたが、使用目的や使用者状況に応じて、所定量の空気が外部に逃げるようにするために、３つ以上設けても良く、異なる大きさの空気孔を設けても良い。
【符号の説明】
【００４０】
１，１Ａ，１Ｂ，１Ｃ          吹き戻し
２，２Ａ，２Ｂ，２Ｃ          伸縮体
２１                          渦巻状部
２２                          線状体
２３                          自由端部
２４                          接続端部（専管体側端部）
２５                          空気孔
３，３Ａ                      専管体
３１                          一端部（専管体一端側）
３２                          他端部（専管体他端側）
３３                          空気孔
４，４Ｂ                      口吹体
４１                          空気孔
【図１】
2018201883.tif 000003
【図２】
2018201883.tif 000004
【図３】
2018201883.tif 000005
【図４】
2018201883.tif 000006
【図５】
2018201883.tif 000007
【図６】
2018201883.tif 000008
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
筒状の専管体と、前記専管体の一端側に設けられ筒状で変形自在な伸縮体と、筒状で前記専管体の他端側に接続され使用者がくわえて空気を吹き込む口吹体と、を備え、前記口吹体を使用者がくわえて空気を吹き込むと前記伸縮体が伸び、空気を吹き込まないと前記伸縮体が渦巻状に巻かれる吹き戻しであって、
前記伸縮体、前記専管体、及び前記口吹体の内部の空気を外部に逃す空気孔が前記伸縮体、前記専管体、または前記口吹体に設けられ、
前記伸縮体に空気孔を設ける場合には、前記専管体側の端部において前記伸縮体が巻かれても平坦にならない位置に設けられている、
ことを特徴とする吹き戻し。
【請求項２】
前記空気孔の大きさと数は、使用目的に応じた所定量の空気が外部に逃げるように設定されている、
ことを特徴とする請求項１に記載の吹き戻し。
【請求項３】
前記空気孔が前記伸縮体の自由端部にも設けられている、
ことを特徴とする請求項１または２のいずれか１項に記載の吹き戻し。
【手続補正２】
【補正対象書類名】明細書
【補正対象項目名】０００６
【補正方法】変更
【補正の内容】
【０００６】
ところで、このような吹き戻しは、最初に伸縮体を伸ばすのに要するために、所定の吹く力（必要呼気力）が必要になるが、伸縮体に十分空気が吹き込まれて伸縮体が伸びた状態になると、伸縮体、専管体、及び口吹体に空気が充満してしまうので、この状態を維持するために要する必要呼気力は、あまり必要なくなってしまう。すなわち、最初に勢いよく空気を吹き込むと、あとは弱い力で維持できてしまうものであった。しかしながら、健康促進や治療等の目的に利用される吹き戻しは、所定の呼気力で一定時間空気を吹き込むことが重要であり、従来の吹き戻しでは、そのような目的を達することができないものであった。
また、従来、伸縮体が伸びた状態で、空気の吹き込みを停止すると伸縮体の中に空気が残留し伸びたままの状態になってしまい、これを修正するために手で伸縮体を引っ張ると、伸縮体が破損するおそれがあった。
【手続補正３】
【補正対象書類名】明細書
【補正対象項目名】０００７
【補正方法】変更
【補正の内容】
【０００７】
そこでこの発明は、所定の呼気力で一定時間空気を吹き込むことが可能で、かつ吹き込みを停止しても伸縮体が伸びた状態にはならず破損しにくい吹き戻しを提供することを目的とする。
【手続補正４】
【補正対象書類名】明細書
【補正対象項目名】０００８
【補正方法】変更
【補正の内容】
【０００８】
上記課題を解決するために、請求項１の発明は、筒状の専管体と、前記専管体の一端側に設けられ筒状で変形自在な伸縮体と、筒状で前記専管体の他端側に接続され使用者がくわえて空気を吹き込む口吹体と、を備え、前記口吹体を使用者がくわえて空気を吹き込むと前記伸縮体が伸び、空気を吹き込まないと前記伸縮体が渦巻状に巻かれる吹き戻しであって、前記伸縮体、前記専管体、及び前記口吹体の内部の空気を外部に逃す空気孔が前記伸縮体、前記専管体、または前記口吹体に設けられ、前記伸縮体に空気孔を設ける場合には、前記専管体側の端部であって、伸縮体が巻かれても平坦にならない位置に設けられている、ことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２の発明は、請求項１に記載の吹き戻しにおいて、前記空気孔の大きさと数は、使用目的に応じた所定量の空気が外部に逃げるように設定されている、ことを特徴とする。
【手続補正７】
【補正対象書類名】明細書
【補正対象項目名】００１１
【補正方法】変更
【補正の内容】
【００１１】
請求項３の発明は、請求項１または２のいずれか１項に記載の吹き戻しにおいて、前記空気孔が前記伸縮体の自由端部にも設けられている、ことを特徴とする。
【手続補正８】
【補正対象書類名】明細書
【補正対象項目名】００１２
【補正方法】変更
【補正の内容】
【００１２】
請求項１の発明によれば、伸縮体、専管体、または口吹体には、伸縮体内の空気を外部に逃す空気孔が設けられている。そのため、この吹き戻しは、最初に伸縮体を伸ばすのに要する必要呼気力は所定の力が必要になるが、空気孔から伸縮体、専管体、及び口吹体の内部の空気が外部に逃げるので、伸縮体が伸びた状態を維持するためにも所定の必要呼気力が必要になる。これにより、所定の呼気力で一定時間空気を吹き込むことが可能になるので、健康促進や治療等の目的に適した吹き戻しを提供することができる。
しかも、前記伸縮体に空気孔を設ける場合には、前記専管体側の端部であって、伸縮体が巻かれても平坦にならない位置に設けられている。そのため、伸縮体が渦巻状に巻かれても空気孔が閉がれることがなく、吹き込みを停止しても伸びた状態にはならず破損しにくい吹き戻しを提供することができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項２の発明によれば、空気孔の大きさと数は、使用目的に応じた所定量の空気が外部に逃げるように設定されている。そのため、呼吸器の治療、摂食嚥下リハビリテーション、呼吸法や発声法の訓練等、使用目的に適した吹き戻しを提供することが可能になる。
【手続補正１１】
【補正対象書類名】明細書
【補正対象項目名】００１５
【補正方法】変更
【補正の内容】
【００１５】
請求項３の発明によれば、使用目的に応じた所定量の空気を外部に逃がすために複数の空気孔を設ける場合、伸縮体が最も伸びた状態に達してから空気が逃げるように設定すると、伸縮体、専管体、及び口吹体の内部の空気をよりスムーズに外部に逃がすことができる。そのためには、空気孔を伸縮体の自由端部に設けることにより、伸縮体が最も伸びた状態になって当該空気孔が開放されるので、当該空気孔から空気を逃がすことができる。これにより、使用目的に適した吹き戻しを提供することが可能になる。
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
筒状の専管体と、前記専管体の一端側に設けられ筒状で変形自在な伸縮体と、筒状で前記専管体の他端側に接続され使用者がくわえて空気を吹き込む口吹体と、を備え、前記口吹体を使用者がくわえて空気を吹き込むと前記伸縮体が伸び、空気を吹き込まないと前記伸縮体が渦巻状に巻かれる吹き戻しであって、
前記伸縮体の内部の空気を外部に逃す空気孔が前記伸縮体の前記専管体側の端部において渦巻状に巻かれない部位に設けられている、
ことを特徴とする吹き戻し。
【請求項２】
前記空気孔の大きさと数は、使用目的に応じた所定量の空気が外部に逃げるように設定されている、
ことを特徴とする請求項１に記載の吹き戻し。
【請求項３】
前記空気孔が前記伸縮体の自由端部にも設けられている、
ことを特徴とする請求項１または２のいずれか１項に記載の吹き戻し。
【手続補正２】
【補正対象書類名】明細書
【補正対象項目名】０００８
【補正方法】変更
【補正の内容】
【０００８】
上記課題を解決するために、請求項１の発明は、筒状の専管体と、前記専管体の一端側に設けられ筒状で変形自在な伸縮体と、筒状で前記専管体の他端側に接続され使用者がくわえて空気を吹き込む口吹体と、を備え、前記口吹体を使用者がくわえて空気を吹き込むと前記伸縮体が伸び、空気を吹き込まないと前記伸縮体が渦巻状に巻かれる吹き戻しであって、前記伸縮体の内部の空気を外部に逃す空気孔が前記伸縮体の前記専管体側の端部において渦巻状に巻かれない部位に設けられている、ことを特徴とする。
【手続補正３】
【補正対象書類名】明細書
【補正対象項目名】００１２
【補正方法】変更
【補正の内容】
【００１２】
請求項１の発明によれば、伸縮体には、伸縮体内の空気を外部に逃す空気孔が設けられている。そのため、この吹き戻しは、最初に伸縮体を伸ばすのに要する必要呼気力は所定の力が必要になるが、空気孔から伸縮体の内部の空気が外部に逃げるので、伸縮体が伸びた状態を維持するためにも所定の必要呼気力が必要になる。これにより、所定の呼気力で一定時間空気を吹き込むことが可能になるので、健康促進や治療等の目的に適した吹き戻しを提供することができる。
しかも、前記伸縮体に設けられる空気孔は、前記伸縮体の前記専管体側の端部において渦巻状に巻かれない部位に形成されているため、伸縮体が渦巻状に巻かれても空気孔が閉がれることがなく、吹き込みを停止しても伸びた状態にはならず破損しにくい吹き戻しを提供することができる。